(57)【特許請求の範囲】
【請求項１】
竹炭の粉粒体を圧縮して板状化した厚さ方向に通気性のある竹炭ボードをパネル枠に嵌装することによりパネル状に形成した竹炭パネルであって、
上記パネル枠は、背面側に上記竹炭ボードを収容する凹溝を設けた多孔の表面板を備え、該表面板における上記凹溝の幅方向両側壁に、取付対象面に対して固定または支持させる支持部を備え、
上記パネル枠が、表面板の背面における凹溝の幅方向両側壁の上記支持部において重なる裏面板を有し、上記凹溝と該裏面板との間に竹炭ボードの収容空間が形成され、上記表面板の支持部を裏面板を介して取付対象面に支持させるように構成し、
上記表面板と裏面板との幅方向両側端部に、相互に弾性的に係合する係合子を設けている、
ことを特徴とする竹炭パネル。
【請求項２】
多孔の表面板における上記凹溝内に、緩衝性及び通気性を有するシートを介在させて竹炭ボードを収容している、
ことを特徴とする請求項１に記載の竹炭パネル。
【請求項３】
上記収容空間における竹炭ボードと裏面板との間に通気間隙を介在させている、
ことを特徴とする請求項１に記載の竹炭パネル。
【請求項４】
上記裏面板が多孔であり、該裏面板の背後を通気空間に対面させて取付対象面に支持可能にしている、
ことを特徴とする請求項１に記載の竹炭パネル。
【請求項５】
多孔の表面板及び／または多孔の裏面板の内側に、緩衝性及び通気性を有するシートを介在させて竹炭ボードを上記凹溝に収容している、
ことを特徴とする請求項４に記載の竹炭パネル。
【請求項６】
単一の凹溝、または複数の凹溝を並設したパネル枠の両側端に、隣接するパネル枠との間の連結幅を調整可能にした連結部を備えている、
こと特徴とする請求項１〜５のいずれかに記載の竹炭パネル。
【請求項７】
上記パネル枠が、アルミニウムまたは合成樹脂からなる形材によって構成されている、
ことを特徴とする請求項１〜６に記載の竹炭パネル。
【発明の詳細な説明】
【技術分野】
【０００１】
本発明は、建物や乗り物の内装材、家具の内外装材、建具用材、その他各種の収納空間を形成する器物の内面等に設置して、竹炭が有する吸臭性、調湿性、化学物質の吸着性、殺菌性、遮音性等を発揮させるようにした竹炭パネルに関するものである。
【背景技術】
【０００２】
従来から、竹炭の粉粒体を圧縮して板状化したものを、建築物の壁材や天井材等として用いることは既に知られている（例えば特許文献１，２参照）。
しかしながら、この竹炭を板状化するに当たっては、それを建築物の壁材等として使用する場合に、そこで生活する人が直接的に竹炭に触れて衣服を汚したり、人や他物が接触し、あるいは地震その他の振動で板状化した竹炭が破損したり、竹炭粉が散乱したりすることがないように、竹炭の粉粒体にそれらの接合強度を高めるためのボンド材を混入したうえで圧縮して板状化しているので、そのボンド材により竹炭の粉粒体がそれぞれ有している膨大な数の気孔が少なからず閉鎖され、竹炭の生活環境改善効果を最大限に発揮させることができないのが通例である。また、竹炭を板状化してその表面からの竹炭粉の離脱を抑制するための表面被覆を行ったものも同様である。
【０００３】
しかし、何らかの手段で、直接的に竹炭に触れて衣服を汚したり、人や他物が接触して竹炭粉が散乱したり、地震その他の振動で破損したりするのを抑制しなければ、現実的に建物の内装材等として使用することができず、かといって、ボンド材を少なくなどの対策を採用すれば、竹炭の気孔による吸着効果等が増大するにしても、竹炭粉の離脱散乱が多くなり、また、その散乱等の抑制のために板状化した竹炭に被覆用材を施すと、その形態によっては、竹炭の生活環境改善効果を最大限に発揮させることが困難になる。
【先行技術文献】
【特許文献】
【０００４】
【特許文献１】特開２０００−１５８４１９号公報
【特許文献２】特開２００１−２７８６５５号公報
【発明の概要】
【発明が解決しようとする課題】
【０００５】
本発明の技術的課題は、竹炭の粉粒体を圧縮して板状化した竹炭ボードを、生活環境において直接的に竹炭に触れたり、竹炭粉が散乱したりすることがないようにパネル枠に嵌装して、建物内の各所や家具類等に装着できるようにした竹炭パネルを提供することにある。
本発明の他の技術的課題は、上記竹炭ボードをパネル枠に嵌装するに際し、竹炭の生活環境改善効果を最大限に発揮させるために、その気孔の殆どが有効に作用するように構成した竹炭パネルを提供することにある。
【課題を解決するための手段】
【０００６】
上記課題を解決するため、本発明によれば、竹炭の粉粒体を圧縮して板状化した厚さ方向に通気性のある竹炭ボードをパネル枠に嵌装することによりパネル状に形成した竹炭パネルであって、上記パネル枠は、背面側に上記竹炭ボードを収容する凹溝を設けた多孔の表面板を備え、該表面板における上記凹溝の幅方向両側壁に、取付対象面に対して固定または支持させる支持部を備え、上記パネル枠が、表面板の背面における凹溝の幅方向両側壁の上記支持部において重なる裏面板を有し、上記凹溝と該裏面板との間に竹炭ボードの収容空間が形成され、上記表面板の支持部を裏面板を介して取付対象面に支持させるように構成し、上記表面板と裏面板との幅方向両側端部に、相互に弾性的に係合する係合子を設けていることを特徴とする竹炭パネルが提供される。
上記竹炭パネルの好ましい実施形態においては、多孔の表面板における上記凹溝内に、緩衝性及び通気性を有するシートを介在させて上記竹炭ボードが収容される。
【０００７】
本発明に係る上記竹炭パネルの他の好ましい実施形態においては、上記収容空間における竹炭ボードと裏面板との間に通気間隙を介在させるのが望ましい。また、上記裏面板の背後を通気空間に対面させて竹炭パネルを取付対象面に固定可能であれば、該裏面板を表面板と同様に多孔にするのが望ましい。
更に、本発明の好ましい実施形態においては、表面板及び／または裏面板の内側に、緩衝性及び通気性を有するシートを介在させて竹炭ボードが上記凹溝に収容される。
【０００８】
また、本発明の好ましい実施形態においては、単一の凹溝、または複数の凹溝を並設したパネル枠の両側端に、隣接するパネル枠との間の連結幅を調整可能にした連結部を備えたものとして構成される。上記竹炭パネルのパネル枠は、アルミニウムまたは合成樹脂からなる形材によって構成するのが望ましい。
【０００９】
上記構成を有する本発明の竹炭パネルは、多孔のパネル枠の凹溝内に竹炭ボードを収容し、望ましくは、該多孔のパネル枠における凹溝内に、緩衝性及び通気性を有するシートとして、例えば、織布や不織布、和紙、微細メッシュのネット等を介在させて、上記竹炭ボードを収容し、その竹炭パネルを建物や乗り物の内装材や家具の内外装材等として使用するので、生活環境において、板状化した竹炭ボードに直接的に人の衣服等が触れたり、竹炭粉が散乱したりすることがなく、そのため、上記竹炭ボードをパネル枠に嵌装するに際しては、ボンド材等により竹炭粉を安定的に固結しておく必要はなく、ボンド材を用いるにしても、竹炭の気孔による吸着効果を殆ど減殺しない範囲内とすることができるので、気孔による竹炭の生活環境改善効果を最大限に発揮させることができる。
【発明の効果】
【００１０】
以上に詳述した本発明によれば、竹炭の粉粒体を圧縮して板状化した竹炭ボードを、生活環境において直接的に竹炭に触れたり、竹炭粉が散乱したりすることがないようにパネル枠に嵌装して、建物内の各所に装着できるようにした竹炭パネルを得ることができ、また、上記竹炭ボードをパネル枠に嵌装するに際し、竹炭の生活環境改善効果を最大限に発揮させるように構成することができる。
【図面の簡単な説明】
【００１１】
【図１】本発明に係る竹炭パネルの第１実施例を示す要部斜視図である。
【図２】上記第１実施例の竹炭パネルの要部正面図である。
【図３】同横断面図である。
【図４】上記第１実施例における連結部の拡大断面図である。
【図５】本発明に係る竹炭パネルの第２実施例を示す要部横断面図である。
【図６】本発明に係る竹炭パネルを建具に適用した第３実施例を示す要部斜視図である。
【図７】同実施例の要部横断面図である。
【図８】同実施例における竹炭パネルの要部縦断面図である。
【図９】本発明に係る竹炭パネルを簀の子に適用した第４実施例を示す斜視図である。
【図１０】同実施例の要部横断面図である。
【図１１】本発明に係る竹炭パネルを靴箱のような家具類に適用した第５実施例を示す斜視図である。
【図１２】同実施例の要部拡大正面図である。
【発明を実施するための形態】
【００１２】
図１〜図４は、本発明に係る竹炭パネルの第１実施例を示すものである。この竹炭パネル１Ａは、竹炭の粉粒体を圧縮して板状化した厚さ方向に通気性のある竹炭ボード２を、背面側に該竹炭ボード２を収容する凹溝５を設けた多孔の表面板４を備えたパネル枠３Ａに嵌装することにより、パネル状に形成したものである。なお、この第１実施例のパネル枠３Ａでは、後述する裏面板１２をも備えている。
上記竹炭ボード２は、竹炭を粉砕して粉粒体とし、それを厚さ数ｍｍ〜拾数ｍｍ程度の厚さ方向に通気性を持つ平板状に圧縮成形したうえで、所要の幅をもつ長尺板状に形成したものである。
【００１３】
この竹炭ボードは、以下の各実施例において説明するように、いずれにしてもそれをパネル枠３Ａ〜３Ｅに嵌装して使用するため、竹炭パネルとしての使用状態においては、竹炭ボード２が衣服に接触してそれを汚したり、外力等により破損して竹炭粉が散乱するようなことはなく、そのため、基本的には、竹炭の粉粒体をボンド材によって安定的に固結しておく必要がなく、竹炭の粉粒体を圧縮成形するに際してボンド材を使用しないか、たとえそれを使用するにしても、竹炭の気孔による吸着効果等を殆ど減殺しない範囲内とすることができる。
【００１４】
上記パネル枠３Ａは、通常、アルミニウムまたは合成樹脂からなる形材によって構成されるが、少なくとも、通常の使用状態において、内部に嵌装した上記竹炭ボード２の破損を防止できる程度の剛性を備えていることが必要である。なお、この点は、以下に説明する各実施例のパネル枠３Ｂ〜３Ｅについても同様である。
【００１５】
この第１実施例において、上記パネル枠３Ａは、図３に示すような断面形状を有するものとして構成され、具体的には、上述したように、背面側に上記竹炭ボード２を収容する凹溝５を設けた多孔の表面板４を備えている。該多孔の表面板４における多数の孔６は、パネル枠３Ａの強度を損なわない範囲内において、その全体の開口面積を可及的に大きくすることが望まれ、例えば、孔６の列設部分においては孔６の全体の開口面積が総面積の１／２に近い値になることが望まれる。また、上記パネル枠３Ａを構成する表面板４の凹溝５の幅方向両側壁５ａに、竹炭パネルを取付対象面に対して固定または支持させる支持部７を備え、複数の凹溝５を並設する場合には各凹溝５の間に目地部８が設けられる。
【００１６】
更に、上記パネル枠３Ａは、表面板４に対してその支持部７及び上記目地部８において重なる裏面板１２を有し、上記表面板４の凹溝５と該裏面板１２との間に竹炭ボード２の収容空間が形成されている。この第１実施例のパネル枠３Ａにおける裏面板１２は、表面板４のように多孔のものではなく、無孔のものであり、そして、該裏面板１２の内面側の両端部及び中央部に設けた突子１４ａ，１４ｂの先端の竹炭ボード２への当接により、上記収容空間において該竹炭ボード２を表面板４側に保持し、竹炭ボード２と裏面板１２との間に通気間隙１５を形成している。この通気間隙１５は、竹炭ボード２を厚さ方向に貫通して流れる空気流の生成を容易にし、この通気間隙１５の存在によって表面板４側と該通気間隙１５との間での空気の流通が良好に行われるようになる。
【００１７】
上記裏面板１２の幅方向両側端部の突子１４ａは、上述したように、幅方向中央部側の突子１４ｂと共に、表面板４の凹溝５に嵌装した竹炭ボード２への当接により、上記収容空間において竹炭ボード２を表面板４側に押圧保持するものであるが、特に、その裏面板１２の幅方向両側端部の突子１４ａは外側向きの係合鈎を備え、上記表面板４の両側端の支持部７に設けた係合子７ａと相互に弾性的に係合する係合子の機能を兼備させている。従って、表面板４における凹溝５内に竹炭ボード２を嵌装して裏面板１２でその凹溝５を覆い、該裏面板１２を表面板４側に押しつけるだけで、両板を係合させると同時に前記収容空間への竹炭ボード２の収容を完了することができる。
【００１８】
上記パネル枠３Ａは、その表面板４に竹炭ボード２を収容する単一の凹溝５を設けたものとすることもできるが、図示したように、２またはそれ以上の複数の凹溝５を並設することもできる。そして、それらのいずれのパネル枠においても、両側端に、隣接するパネル枠３Ａとの間の連結幅を調整可能にした連結部１０を備えている。
この第１実施例における該連結部１０は、図４に明瞭に示すように、表面板４の一側端の側壁５ａの支持部７下端から隣接するパネル枠３Ａ側に突出し、先端に上向きストッパ１０ｂを有する延出部１０ａと、表面板４の他側端の側壁５ａの支持部７から上記延出部１０ａ上に突出し、上記ストッパ１０ｂに対して連結幅が最大のときに係合する係合鈎１０ｄ付きの覆板部１０ｃとにより構成している。この連結部１０において調整できるパネル枠３Ａ間の連結幅は、図４における幅ａである。
【００１９】
上記パネル枠３Ａは、上述したような構成を有しているが、該パネル枠として、後述する第５実施例等のように、裏面板を設けることの必要性があまり要求されない場合、あるいは、パネル枠の背面側に上記図３の通気間隙１５や通気のための空間がなく、竹炭パネルの取付対象面に竹炭ボード２が直接的に当接してもよい場合には、上記パネル枠３Ａが表面板４のみを備えたものとして構成することができる。この場合には、表面板４の支持部７は上述した裏面板１２を介することなく取付対象面に当接支持させことから、取付対象面に対する当接に適した形態、例えば、支持部７の先端が取付対象面当接する面一の平面等であって、ネジ等による取付部を有するものとする必要がある。
【００２０】
図５は、本発明に係る竹炭パネルの第２実施例を示すものである。この竹炭パネル１Ｂにおけるパネル枠３Ｂは、基本的には第１実施例の場合と同様であるが、裏面板１２も上記表面板４と同様に多孔のものとし、そして、多孔の表面板４及び多孔の裏面板１２の内側に、緩衝性及び通気性を有するシート１７、例えば、織布や不織布、和紙、微細メッシュのネット等を介在させて、竹炭ボード２を竹炭パネル１Ｂにおける表面板４の上記凹溝５に収容している。
【００２１】
なお、上記裏面板１２の幅方向両側端部の係合子１８ａは、図３及び図４の第１実施例の突子１４ａと同様に、表面板４裏面板１２とを係合させるものであるが、第１実施例の突子１４ａと比べて、内側向きの係合鈎を備え、上記表面板４の一側端の支持部７に設けた係合子７ａ及び該表面板４の他側端の延出部１０ａの先端に設けた係合子７ａと相互に弾性的に係合するように構成している。
【００２２】
上記シート１７を用いることにより、竹炭ボード２から離脱した竹炭の微細粉が表面板４及び裏面板１２の孔６から外部に飛散するのをより効果的に抑制することができ、しかも、竹炭ボード２をアルミニウムや合成樹脂等の硬質部分に緩衝用のシート１７を介して接触させるので、竹炭の微細粉が竹炭ボード２から離脱するのを抑制することができ、また、竹炭ボード２の両面が通気性のあるシート１７に接触するので、竹炭全体の吸着効果を有効に利用することができる。なお、上記緩衝性及び通気性を有するシート１７は、必ずしも竹炭ボードの表裏両面に配設する必要はなく、それを用いるのが有効な面側のみに配設することができる。
この第２実施例における前記第１実施例と共通する部分については、図中に第１実施例と同じ符号を付してそれらの説明を省略する。
【００２３】
この第２実施例の竹炭パネル１Ｂは、そのパネル枠３Ｂの背面に通気空間が形成された状態で使用する場合、具体的には、図６〜図８の第３実施例のように、両面が建物内の室内空間に面していたり、この竹炭パネル１Ｂを取付対象面に密接状態で取り付けることなく、竹炭パネルを設置する取付対象面との間に通気空間を設けることができる場合などに適したものである。この裏面板１２が多孔のパネル枠３Ｂを取付対象面に固定する場合には、裏面板１２を通気空間に対面させて支持できる形態に構成し、あるいは、そのような支持を行うためのブラケット等を用いる必要がある。
【００２４】
図６〜図８は、本発明に係る竹炭パネルを、戸、間仕切り等の、両面が建物内の室内空間に面している建具に適用した第３実施例を示すものである。この第３実施例における竹炭パネル１Ｃのパネル枠３Ｃは、上記第２実施例のように、表面板４及び裏面板１２を共に多孔のものとして構成しているが、図８に示すようにそれらの表面板４及び裏面板１２の形態が第２実施例等とは異なっている。
【００２５】
具体的には、このパネル枠３Ｃにおける表面板４は、第２実施例と同様に並設した二つの凹溝５を備えて、それぞれに竹炭ボード２を嵌装するようにしているが、二つの凹溝５間に取付ネジ２２を螺挿するためのネジ穴２０を備え、また、隣接するパネル枠３Ｃを連結する連結部１０にもネジ穴２１が配設されている。この表面板４は、その凹溝５に竹炭ボード２を嵌装したうえで、各凹溝５に個別的に多孔の裏面板１２を被着し、図６及び図７に示すように、そのパネル枠３Ｃの複数をそれらの連結部１０において嵌合連結して、それらのパネル枠３Ｃの両端をコ字状の連結枠２５における枠溝２６に嵌入し、連結枠２５側から上記各ネジ穴２０，２１に取付ネジ２２を螺挿することにより、図６に示すように、パネル枠３Ｃの全体を板状に連結するようにし、これを建具枠２７に装着して建具を構成するようにしている。
【００２６】
また、図９及び図１０は、本発明に係る竹炭パネルを簀の子に適用した第４実施例を示すもので、この竹炭パネル１Ｄにおけるパネル枠３Ｄは、図１０に示すように、竹炭ボード２を嵌装する凹溝５を並設した多孔の表面板４における両端の支持部７に内向き係合溝７ｂを設け、該係合溝７ｂに多孔の裏面板１２の側端を嵌挿することによって構成し、その表面板４における凹溝５に竹炭ボード２を嵌装し、それを裏面板１２で被覆したうえで、その竹炭パネル１Ｄの複数を、それらと直交する方向に向けて配置した支持台板３０上に並設配置し、各竹炭パネル１Ｄにおける二つの凹溝５間の目地部１０において支持台板３０にネジ３１で止着することにより、簀の子を構成させている。
【００２７】
更に、図１１及び図１２は、本発明に係る竹炭パネルを靴箱のような家具類に適用した第５実施例を示すもので、この竹炭パネル１Ｅにおけるパネル枠３Ｅは、竹炭ボード２を嵌装する単一の凹溝５を有する多孔の表面板４によって構成し、その表面板４における凹溝５に竹炭ボード２を嵌装して、該凹溝５の両側の側壁５ａに設けた係合溝状の支持部７を、家具本体３５における棚板３６の下面に設けたレール３７に沿って、該棚板３６の下面に沿って出し入れ自在に装着している。上記表面板４における凹溝５に嵌装した竹炭ボード２のうえには、裏面板１２を載置することもできる。竹炭パネル１Ｅをこのような家具に適用すると、特に家具の内部の脱臭に有効である。
【符号の説明】
【００２８】
１Ａ〜１Ｅ    竹炭パネル
２    竹炭ボード
３Ａ〜３Ｅ    パネル枠
４    表面板
５    凹溝
７    支持部
１２    裏面板
【図１】
0005411624.tif 000002
【図２】
0005411624.tif 000003
【図３】
0005411624.tif 000004
【図４】
0005411624.tif 000005
【図５】
0005411624.tif 000006
【図６】
0005411624.tif 000007
【図７】
0005411624.tif 000008
【図８】
0005411624.tif 000009
【図９】
0005411624.tif 000010
【図１０】
0005411624.tif 000011
【図１１】
0005411624.tif 000012
【図１２】
0005411624.tif 000013